(57)【要約】【課題】基部材に木材を使用した場合において、効率的に放熱効果を有する照明装置を提供すること。【解決手段】少なくとも一部に凹部を備えた木製の基部材３０と、前記凹部内に配置され、光を照射する光源部１０と、前記光源部１０が上面に配置されており、前記光源部１０の熱を放熱する光源部１０より大きい面積を有する金属製の放熱部材２０と、を備えるものとした。かかる構成を採用することによって、木材からなる基部材の凹部の下面に金属製の放熱部材が配置された状態で、光源部が配置されることになるので光源部で発生した熱を放熱部材に効率よく伝導することができ、光源部に熱が滞留するのを低減することができる。【選択図】図１
2013120732.tif 000002
【特許請求の範囲】
【請求項１】
少なくとも一部に凹部を備えた木製の基部材と、
前記凹部内に配置され、光を照射するＬＥＤを有する光源部と、
前記光源部が上面に配置されており、前記光源部の熱を放熱する前記光源部より大きい面積を有する金属製の放熱部材と、
を備えたことを特徴とする照明装置。
【請求項２】
前記基部材は、前記放熱部材の下面側に前記放熱部材に沿って、かつ前記基部材の端部まで形成されている空気用流路溝が設けられていることを特徴とする請求項１に記載の照明装置。
【請求項３】
前記基部材は、前記放熱部材から前記基部材の外面まで連通する貫通孔が形成されていることを特徴とする請求項１又は２に記載の照明装置。
【請求項４】
前記基部材の前記貫通孔の一部又は全部には、さらに、前記放熱部材の一部が埋設されていることを特徴とする請求項３に記載の照明装置。
【請求項５】
前記基部材の前記凹部は、前記基部材のいずれかの端面まで延長されていることを特徴とする請求項１から４のいずれか１項に記載の照明装置。
【請求項６】
前記放熱部材は、前記基部材の端面まで延長されていることを特徴とする請求項１から５のいずれか１項に記載の照明装置。
【請求項７】
前記放熱部材は、前記光源部が載置される幅の２倍以上の幅を有する板状体であることを特徴とする請求項１から６のいずれか１項に記載の照明装置。
【請求項８】
前記放熱部材は、両側に上方へ突出した壁部を備えていることを特徴とする請求項１から７のいずれか１項に記載の照明装置。
【請求項９】
前記放熱部材は、前記凹部の底面との間に空間を設けて配置されていることを特徴とする請求項１から８のいずれか１項に記載の照明装置。
【請求項１０】
前記放熱部材は、底面に突出する突出部を備え、前記突出部が前記凹部の底面に支持されていることを特徴とする請求項１から９のいずれか１項に記載の照明装置。
【請求項１１】
前記放熱部材は、基部材と固定する固定用螺子で固定するための螺子用孔が形成されていることを特徴とする請求項１から１０のいずれか１項に記載の照明装置。
【請求項１２】
前記放熱部材と前記放熱部材に配置された前記光源部との組合せが、複数並列されていることを特徴とする請求項１から１１のいずれか１項に記載の照明装置。
【請求項１３】
前記凹部の両側壁面には、反射部材を備えていることを特徴とする請求項１から１２のいずれか１項に記載の照明装置。
【請求項１４】
前記光源部の発光側には、導光部材を備えていることを特徴とする請求項１から１３のいずれか１項に記載の照明装置。
【請求項１５】
前記基部材には、少なくとも前記凹部を覆うように乳半板が設けられていることを特徴とする請求項１から１４のいずれか１項に記載の照明装置。
【請求項１６】
前記基部材は、難燃剤が塗布されているか又は難燃剤が浸透されていることを特徴とする請求項１から１５のいずれか１項に記載の照明装置。
【請求項１７】
前記基部材は、建築用の木材であることを特徴とする請求項１から１６のいずれか１項に記載の照明装置。
【発明の詳細な説明】
【技術分野】
【０００１】
本発明は、照明装置に関する。
【背景技術】
【０００２】
従来、金属からなる基部材にＬＥＤからなる光源を取り付けた照明装置は種々提案されている（例えば、特許文献１）。一方で、インテリアデザインの多様性や日本家屋に適合するデザインの必要性から、基部材に木材を使用した照明装置の開発が要望されている。しかし、照明装置から発せられる熱を効率的に放熱することができないため、光源部を取り付ける基部材に木材を使用することが困難であるという課題があった。
【先行技術文献】
【特許文献】
【０００３】
【特許文献１】特願２０１１−１４０５３
【発明の概要】
【発明が解決しようとする課題】
【０００４】
そこで、本発明は、このような課題に鑑みなされたものであり、効率的に放熱効果を有し、基部材に木材を使用した照明装置を提供することを主目的とする。
【課題を解決するための手段】
【０００５】
本発明は、上述の主目的を達成するために以下の手段を採った。
【０００６】
本発明の照明装置は、少なくとも一部に凹部を備えた木製の基部材と、
前記凹部内に配置され、光を照射する光源部と、
前記光源部が上面に配置されており、前記光源部の熱を放熱する前記光源部より大きい面積を有する金属製の放熱部材と、
を備えたことを特徴とする。
【０００７】
かかる構成を採用することによって、木材からなる基部材の凹部の下面に金属製の放熱部材が配置された状態で、光源部が配置されることになるので光源部で発生した熱を放熱部材に効率よく伝導することができ、光源部に熱が滞留するのを低減することができる。そのため、基部材に木材を使用した照明装置を提供することができる。これにより、木質基調の日本家屋や寺院・仏閣等のように木質の外観を有する照明装置が要望されている場所に調和する照明装置とすることができる。また、基部材に木材を使用することによって、建築構造物に対して釘や木材用接着剤等によって容易に固定することができる。そのため既に構築されている建築構造物にも容易に取り付けることができる。さらに、光源部から凹部内の空気層に直接放熱することに加え、光源部から放熱部材に伝導した熱も凹部内の空気層に放熱することができるので、より効率的に放熱を行うことができる。そのため、光源部が損傷する可能性を減らすことができる。さらに、金属製の放熱部材を使用することで、凹部内に金属が配置されることになるため、基部材を凹部にしたことによる強度の低下を金属の強度によって補うことができる。そのため、建築部材として使用することも可能になる。
【０００８】
また、本発明にかかる照明装置において、前記基部材は、前記放熱部材の下面側に前記放熱部材に沿って、かつ前記基部材の端部まで形成されている空気用流路溝が設けられていてもよい。かかる構成を採用することによって、放熱部材に伝導した光源部の熱を上面側だけでなく、放熱部材の裏面側から空気用流路溝に放熱することができる。また、空気用流路溝に伝導した熱は基部材の端部から温度の低い外気に向かって温度差で流れやすくなるとともに、放熱されるので、効率的に放熱部材の熱の放熱を行うことができ、結果として、光源部の放熱を効率的に行うことができる。
【０００９】
さらに、本発明にかかる照明装置において、前記放熱部材から前記基部材の外面まで連通する貫通孔が形成されていてもよい。かかる構成を採用することによって、放熱部材に伝導した光源部の熱を上面側だけでなく、裏面側から貫通孔を通じて外気に放熱することができる。これにより、効率的に放熱部材の熱の放熱を行うことができ、結果として、光源部の放熱を効率的に行うことができる。
【００１０】
さらに、本発明にかかる照明装置において、前記基部材の前記貫通孔の一部又は全部には、さらに、前記放熱部材の一部が埋設されていてもよい。前記貫通孔にさらに放熱部材の一部を埋設することで、熱が伝導される放熱部材の蓄熱領域が大きくなるため、より多くの熱を光源部から放熱部材に伝導することができる。また、貫通孔の全部に放熱部材を埋設した場合には、放熱部材の一部が基部材の外面において外気と直接接するため、貫通孔に熱が滞留することを防止でき、より効率的に放熱を行うことができる。さらに、放熱部材に直接接するように他の放熱部材（例えば、鉄板等）を設けることで、放熱部の蓄熱量を増加させ、外気と直接接する面積を増やすことができるため、さらに効率的に放熱を行うことができる。
【００１１】
さらに、本発明にかかる照明装置において、前記基部材の前記凹部は、前記基部材のいずれかの端面まで延長されていてもよい。かかる構成を採用することで、凹部自体が外気と連通することになるため、凹部内の熱を外気に放熱し易くなる。そのため、光源部及び放熱部材の熱を凹部内に効率的に放熱を行うことができる。
【００１２】
さらに、本発明にかかる照明装置において、前記放熱部材は、前記基部材の端面まで延長されていてもよい。放熱部材を基部材の端面まで延長することで、端面に金属板を設ける等のごとく、他の部材を放熱部材の端面に当接するように設けることが可能になり、放熱部の蓄熱量を増加させ、外気と接触する面積を増やすことができるため、放熱部材の熱を効率的に放熱することができる。
【００１３】
さらに、本発明にかかる照明装置において、前記放熱部材は、前記光源部が載置される幅の２倍以上の幅を有する板状体であってもよい。より長い幅の放熱部材を使用することによって、蓄熱領域が増えるとともに、凹部内の空気層への放熱効率も向上させることができる。
【００１４】
さらに、本発明にかかる照明装置において、前記放熱部材は、両側に上方へ突出した壁部を備えていてもよい。上方に突出した壁部を設けることによって、壁部に沿わせて光源部を設置することができ、光源部の位置を所定の位置に配置し易くなる。そのため、光源部の位置にばらつきが生じるのを防止することができる。また、壁部を有することによって、蓄熱領域が増え、また、外気と接触する面積も増えるので、凹部の空気層への放熱効率をさらに向上させることができる。
【００１５】
さらに、本発明にかかる照明装置において、前記放熱部材は、前記凹部の底面との間に空間を設けて配置されていてもよい。放熱部材の裏面と凹部底面との間に空気層が形成されるので、放熱部材の裏面からも空気層に放熱することができる。これにより、放熱部材の熱を効率的に放熱することができる。
【００１６】
さらに、本発明にかかる照明装置において、前記放熱部材は、底面に突出する突出部を備え、前記突出部が凹部の底面に支持されていてもよい。かかる構成を採用することによって、放熱部材は、凹部の底面との間に空気層を設けて配置されることに加え、突出部によっても放熱部材の裏面と凹部の底面との間の空気層に放熱させることができるため、放熱領域が増加し、効率的に放熱部材の熱の放熱を行うことができる。
【００１７】
さらに、本発明にかかる照明装置において、前記放熱部材は、基部材と固定する固定用螺子で固定するための螺子用孔が形成されていてもよい。本発明の照明装置は、基部材に木材を使用しているので、放熱部材に螺子用孔を形成しておけば、螺子によって容易に基部材に放熱部材を取り付けることができる。
【００１８】
さらに、本発明にかかる照明装置において、前記放熱部材と前記放熱部材に配置された光源部との組合せが、複数並列されていてもよい。かかる構成を採用することによって、より明るい照明装置を提供することができる。
【００１９】
さらに、本発明にかかる照明装置において、前記凹部の両側壁面には、反射部材を備えていてもよい。かかる構成を採用することによって、光源部から照射した光が凹部側面に当たった場合に、反射率が高くなり、効率的に凹部の開口へ光を集めることができる。
【００２０】
さらに、本発明にかかる照明装置において、前記光源部の発光側には、導光部材を備えていてもよい。かかる構成を採用することによって、光源部から照射された光が導光部材の透光性に応じて端部側に到達する光の強度を変更させることができる。そのため、様々な透光性を有する導光部材を使用することによって、端部から照射される光のまぶしさを調整することができる。また、凹部の開口より突出させるように導光部材を配置して使用する場合（例えば、図１２参照）には、突出して使用しない導光部材と比較して、透光性が高い導光部材を使用するとよい。なお、ここで、導光部材としては、一端面から入射した光を他の面から出射する機能を有する部材を指し、例えば、拡散部材が混入したアクリル板によって出射した面と異なる面から光を出射する部材や、ある一定の面を粗面にする等によって拡散機能を持たせたアクリル部材やガラス部材等を使用することができる。
【００２１】
さらに、本発明にかかる照明装置において、前記基部材には、少なくとも前記凹部を覆うように乳半板が設けられていてもよい。乳半板を採用することで、透過する光線を散乱させるため、光源が透けて見える可能性を低減させることができる。また、光源の光をより広い範囲に照射することができる。
【００２２】
さらに、本発明にかかる照明装置において、前記基部材は、難燃剤が塗布されているか又は難燃剤が浸透されていてもよい。かかる構成を採用することによって、木材からなる基材が燃焼する危険性を回避することができる。
【００２３】
さらに、本発明にかかる照明装置において、前記基部材は、建築用の木材であってもよい。本発明の照明装置は、基部材として建築用の木材を使用することで、建築物を構築する際に、そのまま建築用の木材として使用することができる。
【図面の簡単な説明】
【００２４】
【図１】図１は、第１実施形態にかかる照明装置１００を示す一部切断斜視図である。
【図２】図２は、図１の照明装置１００の構成部品を分解した分解斜視図である。
【図３】図３は、図１の照明装置１００のＡ−Ａ断面図である。
【図４】図４は、第２実施形態にかかる照明装置１００の一部切断斜視図である。
【図５】図５は、第３実施形態にかかる照明装置１００を表す図であり、図５Ａは、照明装置１００の断面図であり、図５Ｂは、基部材３０の一部切断斜視図である。
【図６】図６は、第４実施形態にかかる照明装置１００を表す図であり、図６Ａは、照明装置の断面図であり、図６Ｂは、基部材３０の一部切断斜視図である。
【図７】図７Ａは、第５実施形態にかかる照明装置１００の断面図であり、図７Ｂは第５実施形態にかかる照明装置１００の底面に第２放熱部材２０ａを設けた状態を示す断面図である。
【図８】図８Ａは、第６実施形態にかかる照明装置１００の断面図であり、図８Ｂは、第６実施形態にかかる照明装置１００の変形例を示す断面図である。
【図９】図９は、第７実施形態にかかる照明装置１００の断面図である。
【図１０】図１０Ａは、第８実施形態にかかる照明装置１００の断面図であり、図１０Ｂは、第８実施形態にかかる照明装置１００の変形例を示す断面図である。
【図１１】図１１は、第８実施形態にかかる照明装置１００の変形例を示す断面図である。
【図１２】図１２は、第９実施形態にかかる照明装置１００の断面図である。
【図１３】図１３は、第９実施形態にかかる照明装置１００の変形例を示す断面図である。
【図１４】図１４は、第９実施形態にかかる照明装置１００の変形例を示す部分斜視図である。
【図１５】図１５は、第１実施形態から第９実施形態にかかる照明装置１００の使用状態を示す参考斜視図である。
【図１６】図１６Ａは、第１実施形態から第９実施形態にかかる照明装置１００の変形例を示す断面図であり、図１６Ｂは、第１実施形態から第９実施形態にかかる照明装置１００の別変形例一部切断斜視図である。
【図１７】図１７は、第１実施形態から第９実施形態にかかる照明装置１００のさらなる別変形例を示す一部分解斜視図である。
【発明を実施するための形態】
【００２５】
上記、本発明にかかる照明装置の実施形態について図面に基づいて、詳細に説明する。なお、以下に説明する実施形態及び図面は、本発明の実施形態の一部を例示するものであり、これらの構成に限定する目的に使用されるものではない。なお、以下の実施形態においては、「木製の基部材」の例として長尺の柱状の木材を、「光源部」の例として表面実装型のＬＥＤが直列に基板に配置された白色発光型のＬＥＤを、「金属製の放熱部材」の例としてアルミニウムの放熱部材を、「螺子」の例としてビスを、それぞれ用いて説明する。
【００２６】
（第１実施形態）
第１実施形態にかかる照明装置１００は、図１に示すように、主として、光を照射する光源部１０と、光源部１０が配置される放熱部材２０と、この光源部１０が配置された放熱部材２０が取り付けられる基部材３０と乳半板４０と、を備えている。ここで図１は、第１実施形態にかかる照明装置１００を示す一部切断斜視図であり、図２は、第１実施形態にかかる照明装置１００の構成部品を分解した分解斜視図であり、図３は、図１の照明装置１００のＡ−Ａ断面図である。
【００２７】
光源部１０は、図１に示すように、基板１１と、この基板１１に所定の間隔で実装された複数の表面実装型の白色発光型ＬＥＤ１２と、を備えている。光源部１０の端部近傍には、電源（図示しない。）からの電気を供給するための電源コード１３が電源コード実装部１４に実装されている。
【００２８】
放熱部材２０は、アルミニウム製であり、長尺の板状に形成されている。図２に示すように、放熱部材２０の短手方向両側には、上方に突出した壁部２１が長手方向に沿って全長に渡って設けられている。また、壁部２１より短手方向外側には、より効率的に放熱部材２０の熱を放熱するため、延設部２２が形成されている。また、放熱部材２０の任意の位置に基部材３０を固定するためのビス５０を通すための螺子用孔２３が複数設けられている。なお、図２には、放熱部材２０の端部近傍に形成された螺子用孔２３のみ示してある。
【００２９】
基部材３０は、長尺の柱状の木材であり、設置された際に正面となる面（以下、「発光正面３０ａ」という）の略中央に直方体の凹部３１が形成され、凹部３１から端面３２に向かって貫通する電源コード用貫通孔３３が形成されている。この凹部３１内に光源部１０及び放熱部材２０が載置され、電源コード１３が電源コード用貫通孔３３を通して外部に連通するように配置されて外部電源に接続され（図１参照）、凹部３１の開口３４から光が照射されることになる。さらに、凹部３１の底面３５には、あらかじめ放熱部材２０を容易に所定の位置に配置できるように、放熱部材２０と同様の大きさで、放熱部材２０の厚さより浅く設けられた位置決め凹部３６が形成されている。
【００３０】
乳半板４０は、基部材３０の発光正面３０ａの外周と同様の大きさ及び形状に形成されており、図３に示すように、乳半板４０の裏面には、裏面との境界４３において凹部３１の開口３４の外周と同様の大きさ及び形状に形成され、かつ表面４４側が開口３４の外周より小さく形成された凸平面４１が設けられている。なお、凸平面４１は乳半板４０と一体成形で形成されてもよいし、平面の乳半板４０に別工程で作成された凸部材が接着されていてもよい。
【００３１】
以上の各構成部品は、以下のようにして、照明装置１００とされる。まず、図２に示すように、放熱部材２０の２つの壁部２１に挟まれた挟平面２４に光源部１０を取り付ける。光源部１０を取り付ける際には、壁部２１に対して平行に取り付けることによって、放熱部材２０の長手方向に対して平行に取り付けることができる。また、仮に多少ずれたとしても壁部２１内の挟平面２４に取り付けることによって、照明装置１００として作製された場合に光源部１０として好適な範囲に光源部１０が配置されるように壁部２１は形成されている。次に、光源部１０の電源コード実装部１４に電源コード１３をはんだ付けする。その後、電源コード１３の一部が電源コード用貫通孔３３を通して外部に配置されるように、放熱部材２０を基部材３０の位置決め凹部３６に配置し、固定用のビス５０を用いて螺子用孔２３を介して基部材３０に固定する。そして、図３に示すように、凹部３１の両側の壁面３１ａに反射シート６０を取り付けた後、乳半板４０が開口３４に、裏面との境界４３が引っ掛かるようにして嵌め込まれて固定される。この凸平面４１により、乳半板４０は基部材３０の開口３４に対して、常に所定の位置に取り付けることができる。
【００３２】
こうして、作製された照明装置１００は、光源部１０から照射された光が直接に、又は反射シート６０で反射されて間接的に乳半板４０に入射され、乳半板４０内で拡散されて周囲に光を照射することができる。
【００３３】
第１実施形態にかかる照明装置１００によれば、基部材３０が木材であるので建築物に対して、釘や接着剤を使用して容易に柱、壁、天井等に固定することができる。また、側面が木材の質感を呈することができるので、木質基調の部屋や神社仏閣等にデザイン的に適合した照明装置１００とすることができる。また、基部材３０は、木材で作製されているため鉄板や鉄の塊で作製された基部材３０を使用した照明装置と比較して、重量を大幅に軽量化することができる。そのため、設置の際の労力を大幅に軽減できる照明装置１００を提供することができる。また、木製の基部材３０を採用することで、凹部３１を作製する際に、ＮＣ加工等で加工することができるため、鉄板を折り曲げて基部材を作製する場合と比較して、加工が容易であることに加え、正確な寸法の凹部３１を作製することができる。
【００３４】
また、凹部３１の底面３５には、放熱部材２０の取付け位置を所定の位置に配置できる位置決め凹部３６が設けられているので、放熱部材２０を取り付ける際にずれることなく、一定の位置に配置することができる。この配置された状態でビス５０を用いて放熱部材２０を基部材３０に固定する場合においても、放熱部材２０がビス５０の取付け時に移動することを防止できるので、放熱部材２０が移動する心配をすることなくビス５０を取り付けることができる。
【００３５】
さらに、放熱部材２０には、壁部２１が短手方向両側に設けられているので、光源部１０を所定の位置に取り付けやすくすることができる。さらに、基部材３０に凹部３１を形成することによって低下した強度を、アルミニウム製の放熱部材２０を凹部３１の底面３５に配置することによって、低下した木材の強度を補強することができる。放熱部材２０に壁部２１及び壁部２１より外側に延設部２２が設けられているので、壁部２１及び延設部２２から凹部３１内の空気に光源部１０の熱が効率よく放熱させることができる。
【００３６】
さらに、第１実施形態にかかる照明装置１００によれば、凹部３１の開口３４を覆うように乳半板４０が設けられているので、光源部１０の光を拡散させて広い範囲に光を照射することができる。また、照明装置１００を視認した際に、光源部１０や放熱部材２０が直接視認されることを防止できる。
【００３７】
以下、第１実施形態にかかる照明装置１００の変形例について、第２実施形態から第９実施形態にかけて説明する。
【００３８】
（第２実施形態）
第２実施形態にかかる照明装置１００が図４に示されている。図４は、第２実施形態にかかる照明装置１００の斜視図である。第２実施形態にかかる照明装置１００は、基部材３０の凹部３１が、第１実施形態にかかる照明装置１００の凹部３１が略直方体であったのに対して、基部材３０の端面３２まで貫通されている点が異なる。また、放熱部材２０の端面２５が基部材３０の端面３２まで延長され、基部材３０の端面３２と同一面に配置されるように形成されている。その他の構成は第１実施形態と同様である。
【００３９】
かかる第２実施形態によれば、凹部３１が基部材３０の端面３２まで形成されているため、凹部３１内の空気が外気と連通することになるため、凹部３１内の熱を外気に放熱することができる。このため、端面３２が開放されて配置される場合に効率的に放熱効果を発揮することができる。
【００４０】
（第３実施形態）
第３実施形態にかかる照明装置１００が図５に示されている。図５Ａは、第３実施形態にかかる照明装置１００の断面図であり、図５Ｂは、基部材３０の斜視図である。第３実施形態にかかる照明装置１００は、第２実施形態の照明装置１００の基部材３０に対して、凹部３１の底面３５に断面が略Ｕ字型の空気用流路溝３７が長手方向に沿って端面３２まで形成されている。その他の点は、第２実施形態と同様である。
【００４１】
かかる第３実施形態によれば、放熱部材２０の熱は、上面側から空気層へ放熱するのに加え、裏面側から空気用流路溝３７内の空気層に伝導し、この空気層の熱は端面３２から外気に熱を放熱することができる。第２実施形態にかかる照明装置１００は、端面３２が開放されて配置される場合に、効率的に放熱効果を発揮することができる。
【００４２】
（第４実施形態）
第４実施形態にかかる照明装置１００が図６に示されている。図６Ａは、第４実施形態にかかる照明装置１００の断面図であり、図６Ｂは、基部材３０の斜視図である（但し、位置決め凹部３６は省略してある。）。第４実施形態にかかる照明装置１００の基部材３０は、第２実施形態にかかる照明装置１００に対して、凹部３１の底面３５から基部材３０の外面である底面まで貫通した貫通孔３８が設けられている。貫通孔３８は、長手方向へ長辺を有する長孔形状の開口を有する。その他の点は、第２実施形態と同様である。
【００４３】
かかる第４実施形態によれば、放熱部材２０の上面側から空気層へ放熱するのに加え、放熱部材２０の裏面側から貫通孔３８内の空気層に伝導し、この空気層の熱は、底面から外気に熱を放熱することができる。このため、第４実施形態にかかる照明装置１００は、基部材３０の底面側が開放されている場合に効率的に放熱効果を発揮することができる。
【００４４】
なお、上述した第４実施形態において、開口が長孔の形状の貫通孔としたが、これに限定されるものではなく、開口形状は丸孔や矩形孔等いかなる形状であってもよい。
【００４５】
（第５実施形態）
第５実施形態にかかる照明装置１００が図７Ａに示されている。図７Ａは、第５実施形態にかかる照明装置１００の断面図である。第５実施形態にかかる照明装置１００は、第４実施形態に対し、放熱部材２０の裏面に、基部材３０の貫通孔３８の形状とほぼ同様の形状の埋設部２６を備えており、この埋設部２６が貫通孔３８内に埋設されている点が異なる。その他の構成は第５実施形態と同様である。なお、埋設部２６は、放熱部材２０と一体に形成されていても、別体に形成されていてもよい。
【００４６】
かかる第５実施形態によれば、放熱部材２０の体積を増加させることができ、放熱部材２０に蓄積可能な熱量を高くすることができる。従って、光源部１０からより多くの熱を伝導可能となる。さらに放熱部材２０の一部が直接外気に接触しているため、より効率的に放熱効果を発揮することができる。第５実施形態にかかる照明装置１００は、基部材３０の底面側が開放されている場合に効率的に放熱効果を発揮することができる。
【００４７】
なお、上述した第５実施形態において、図７Ｂに示すように、基部材３０の底面側にさらに、鉄板等の金属からなる第２放熱部材２０ａを配置してもよい。かかる構成を採用することで、放熱部材２０に加え、第２放熱部材２０ａによって蓄熱領域を増加させることができ、また、外気に触れる放熱領域を増やすことができる。そのためより効率的に放熱を行うことができる。また、鉄板等からなる第２放熱部材２０ａを配置することによって、基部材３０の裏面に木材より強度の高い金属が設けられることになるので、基部材３０全体の強度を上げることができる。
【００４８】
（第６実施形態）
第６実施形態にかかる照明装置１００が図８Ａに示されている。図８は、第６実施形態にかかる照明装置１００の断面図である。第６実施形態にかかる照明装置１００は、第２実施形態に対して、放熱部材２０が凹部３１の底面３５から距離をおいて配置され、放熱部材２０の裏面と凹部３１の底面３５との間に空気層が形成されている点が異なる。第６実施形態の放熱部材２０は、凹部３１の幅よりも幅広に作製されており、一方、基部材３０は、凹部３１の両側の壁面３１ａに、放熱部材２０の延設部２２を挿入可能な支持溝３９が長手方向に沿って壁面３１ａの同じ高さに形成されている。放熱部材２０を端面側から溝に沿って長手方向に沿って挿入することによって、放熱部材２０は凹部３１の底面３５から距離をおいて浮いた形態で支持され、放熱部材２０の裏面と凹部３１との底面３５との間に空気層が形成される。
【００４９】
かかる第６実施形態によれば、放熱部材２０の表側と裏側の両方に空気が存在するため、放熱部材２０の熱を両側の空気に放熱することができる。よって、より効率的に放熱効果を発揮することができる。
【００５０】
なお、上述した実施形態において、放熱部材２０を凹部３１の底面３５から距離をおいて配置する手段は特に限定するものではない。例えば、図８Ｂに示すように、放熱部材２０の裏面に、突出する突出部２７を形成して、突出部２７が凹部３１の底面３５に支持されるように形成してもよい。
【００５１】
かかる構成を採用すれば、放熱部材２０を凹部３１に設置した際に、放熱部材２０は突出部２７によって凹部３１の底面３５に対して空気層を設けて配置されることに加え、突出部がこの空気層に放熱する放熱領域として機能するので、さらに効率的に放熱部材２０の熱の放熱を行うことができる。
【００５２】
（第７実施形態）
第７実施形態にかかる照明装置１００が、図９に示されている。図９は、第７実施形態にかかる照明装置１００の断面図である。第７実施形態にかかる照明装置１００は、第２実施形態に対して、基部材３０の凹部３１の壁面３１ａが中腹から開口３４に向かって広がるように形成され、開口３４において基部材３０の大きさとほぼ同様の大きさの開口となるように形成されている。
【００５３】
かかる第７実施形態によれば、乳半板４０を取り付けた際に、乳半板４０のより広い範囲に光を入射することができる。そのため、乳半板４０から照射される光の領域を広くすることができる。
【００５４】
（第８実施形態）
第８実施形態にかかる照明装置１００が、図１０Ａに示されている。図１０Ａは第８実施形態にかかる照明装置１００の断面図である。第８実施形態にかかる照明装置１００は、第２実施形態に対して、基部材３０の凹部３１の内部形状と同様の形状に形成された高透過性を有するメタクリル樹脂からなり、光源部１０側の一端面９１から入射された光を他端面９２から照射する導光部材９０が配置されている。その他の構成は、第２実施形態と同様である。
【００５５】
かかる第８実施形態にかかる照明装置１００によれば、光源部１０から照射された光が導光部材９０の透光性に応じて端面側に到達する光の強度を変更させることができるため、例えば、透光性が比較的低い導光部材９０を配置すれば、光が拡散されて端面から照射させる光が穏やかになり、端面から発する光によって視認されるまぶしさを軽減させることができる。
【００５６】
なお、上述した第８実施形態において、乳半板４０は、基部材３０の発光正面３０ａに配置したが、図１０Ｂに示すように導光部材９０の他端面９２のみに配置するように形成してもよい。
【００５７】
また、上述した第８実施形態では、乳半板４０を採用するものとしたが、導光部材９０の他端面９２を粗面に形成することによって、乳半板４０を省略してもかまわない。他端面９２を粗面に形成することで、光源部１０の光を直接視認することを防止することができる。そのため、看者が視認した際に目にまぶしく認識されることがない。また、粗面に形成することで光をより広範囲に拡散させることができるので、広範囲に光を照射することができる。さらに、粗面状に形成することによって、光源部１０や放熱部材２０が直接に視認される可能性を低く抑えることができる。なお、他端面９２を粗面にする方法としては、もサンドブラスト、切削工具で削る方法、研磨剤により研磨する方法が考えられる。また、滑面に形成された他端面の表面に拡散機能を有するテープやシールを貼着することによって、粗面状に形成してもよい。
【００５８】
さらに、上述した第８実施形態では、基部材３０の凹部３１として直方体の凹部３１とするものとしたが、図１１に示すように、第８実施形態で説明した基部材３０を使用し、この基部材３０の凹部３１の内部形状と同様の形状に形成された導光部材９０を配置してもよい。
【００５９】
なお、上述した第８実施形態においては、導光部材９０として高透過性を有するメタクリル樹脂製の板を使用しているが、透過性を有する素材であれば、メチルメタクリレートやエチルメタクリレート等のメタクリル樹脂、メチルアクリレート、エチルアクリレート等のアクリル製樹脂、ポリカーボネート、ポリエチレン等の種々の素材を用いることができる。また、導光部材は、無色透明である必要はなく、有色透明なものであってもよい。さらに、導光部材は、可視光を拡散可能な微粒子状の拡散部材を添加してもよいし、可視光や紫外域の光を照射することによって蛍光を発する蛍光剤を塗布又は添加した樹脂板を用いても構わない
【００６０】
（第９実施形態）
第９実施形態にかかる照明装置１００が、図１２に示されている。第９実施形態にかかる照明装置１００は、第２実施形態に対して、基部材３０の凹部３１幅と同様の板厚を有する板状の透光性を有する光源部１０側の一端面９１から入射された光を他端面９２から照射するメタクリル樹脂からなる導光板状の導光部材９０が、発光正面３０ａより延出するように配置されている。第９実施形態にかかる照明装置１００においては、乳半板４０は使用していない。導光部材９０の他端面は、第８実施形態と同様に粗面に形成され、他端面９２から光を広範囲に照射することができる。
【００６１】
導光部材９０が基部材３０から導光部材９０が延出しているため、基部材３０から離れたところに照射領域である他端面９２が存在することになる。そのため、基部材３０より離れたところから照射される光と、導光部材９０他端面に隣接する主面９３とから照射される光により立体感のある照明装置１００とすることができる。
【００６２】
上述した第９実施形態においては、導光部材９０の他端面９２を一端面９１に対し、平行面となるように形成したが、図１３に示すように、他端面９２が一定の方向へ傾斜した傾斜面に他端面９２を形成してもよい。かかる構成を採用すれば、図１３の矢印に示したように、傾斜面に応じて一定の方向へより強く光を照射することができる。例えば、屋内の高い位置に照明装置１００を配置する際に、屋内の下方に光が照射されるように、端面が下方に傾斜した照明装置１００とすると効果的である。
【００６３】
また、上述した第９実施形態においては、一端面９１に隣接する主面９３は滑面に形成されているが、導光部材９０の両側の主面９３に、導光部材９０の一端面９１を介して光源部１０から入射された光を拡散光として導出する拡散凹部又は拡散凸部９４を複数形成してもよい。なお、複数の拡散凹部の例としては、図１４に示すように、複数の四角錐型拡散ドットを両側主面形成してもよい。また、図示しないが、ドットに限らず溝で形成したりしてもよい。この際の加工方法としては、超音波加工であっても、レーザー加工であってもよい。一方、拡散凸部は、主面に盛り上がったドットで形成してもよいし、盛り上がった線状に形成してもよい。拡散凸部を形成するには、例えば、スクリーン印刷やシルク印刷等によって、盛り上がるように（凸状）に形成するとよい。かかる構成を採用することによって、導光板の一端面から入射された光源部１０の光を、一端面９１に対向した他端面９２に加えて、一端面９１と隣接した両側の主面９３からも拡散光を出射することができる。そのため、主面９３の拡散凹部又は拡散凸部９４から発する光によって拡散凹部又は拡散凸部をはっきりと視認することができ、デザイン性の高い主面を有する照明装置１００とすることができる。また、他端面９２から照射する光及びこの両側の主面９３から拡散した光が干渉しあって、より立体的に発光しているように視認させることができる。
【００６４】
なお、上述した第９実施形態においては、導光部材９０として高透過性を有するメタクリル樹脂製の板を使用しているが、透過性を有する素材であれば、メチルメタクリレートやエチルメタクリレート等のメタクリル樹脂、メチルアクリレート、エチルアクリレート等のアクリル製樹脂、ポリカーボネート、ポリエチレン等の種々の素材を用いることができる。また、導光部材は、無色透明である必要はなく、有色透明なものであってもよい。さらに、導光部材は、可視光を拡散可能な微粒子状の拡散部材を添加してもよいし、可視光や紫外域の光を照射することによって蛍光を発する蛍光剤を塗布又は添加した樹脂板を用いても構わない。
【００６５】
以上第１実施形態から第９実施形態において説明した照明装置１００は、例えば、図１５Ａに示すように、日本家屋の屋内の梁等に取り付けたり、図１５Ｂに示すように洋間に取り付けたりして、間接照明の照明装置１００として使用される。本実施形態にかかる照明装置１００は基部材３０が木材で作製されているので、釘や接着剤等によって、容易に柱等に取り付けることができる。
【００６６】
なお、本発明は上述した第１実施形態から第９実施形態に何ら限定されることはなく、本発明の技術的範囲に属する限り種々の態様で実施し得ることはいうまでもない。
【００６７】
上述した第１実施形態から第９実施形態では、光源部１０として白色発光型ＬＥＤを使用しているが、これに限定するものではなく、有機発光ダイオード、冷陰極管又はネオン管等を用いることができる。
【００６８】
また、上述した第１実施形態から第９実施形態においては、光源部１０の発光色は、白色を用いているが、これに限定するものではなく、赤色、橙色、黄色、緑色、青色、藍色又は紫色等いずれの色であってもよいし、これらの色の組合せを用いてもよい。
【００６９】
また、上述した第１実施形態から第９実施形態においては、光源部１０を一列のみ配置しているが、図１６Ａに示すように、複数の光源部１０及び複数の放熱部材を並列して配置してもよい。かかる構成を採用することによって、より強い光を照射することができる。
【００７０】
また、上述した第１実施形態から第９実施形態においては、基部材３０の壁面３１ａは閉じた壁面に形成されるものとしたが、図１６Ｂに示すように外気と連通した連通孔３０ｂを設けてもよい。かかる構成を採用することによって、凹部３１内の空気の熱を外気に放熱できる領域が増えるので、放熱効果を向上させることができる。
【００７１】
また、上述した第１実施形態から第９実施形態においては、基部材３０は一体のものを使用したが、図１７に示すように、複数のパーツ３０ｃ、３０ｄからなる部材を組み立ててもよい。基部材３０は、木材で作製されているので、容易に接着剤や釘等で組み付けることができる。
【００７２】
また、上述した第１実施形態から第９実施形態において、基部材３０に難燃剤を塗布又は浸透させてもよい。かかる構成を採用することで、木材が燃焼する危険性を回避することができる。
【００７３】
また、上述した第１実施形態から第８実施形態においては、全て乳半板４０を取り付けた状態で１００を説明しているが、乳半板４０はなくても構わない。
【産業上の利用可能性】
【００７４】
上述した実施の形態で示すように、照明装置として利用することができる。
【符号の説明】
【００７５】
１０…光源部、１１…基板、１２…白色発光型ＬＥＤ、１３…電源コード、
１４…電源コード実装部、２０…放熱部材、２０ａ…第２放熱部材、２１…壁部、
２２…延設部、２３…螺子用孔、２４…挟平面、２５…端面、２６…埋設部、
２７…突出部、３０…基部材、３０ａ…発光正面、３０ｂ…連通孔、３０ｃ…パーツ、
３１…凹部、３１ａ…壁面、３２…端面、３３…電源コード用貫通孔、３４…開口、
３５…底面、３６…位置決め凹部、３７…空気用流路溝、３８…貫通孔、３９…支持溝、４０…乳半板、４１…凸平面、５０…ビス、６０…反射シート、９０…導光部材、
９１…一端面、９２…他端面、９３…主面、９４…拡散凸部、１００…照明装置
【図１】
2013120732.tif 000003
【図２】
2013120732.tif 000004
【図３】
2013120732.tif 000005
【図４】
2013120732.tif 000006
【図５】
2013120732.tif 000007
【図６】
2013120732.tif 000008
【図７】
2013120732.tif 000009
【図８】
2013120732.tif 000010
【図９】
2013120732.tif 000011
【図１０】
2013120732.tif 000012
【図１１】
2013120732.tif 000013
【図１２】
2013120732.tif 000014
【図１３】
2013120732.tif 000015
【図１４】
2013120732.tif 000016
【図１５】
2013120732.tif 000017
【図１６】
2013120732.tif 000018
【図１７】
2013120732.tif 000019